(57)【要約】【課題】  気化量を増減設定可能な機器組込用の風力気化発生器を提供すること。【解決手段】  気化対象溶液１８を貯蔵する水槽２と、気化フィルター素片７を自立・保持させるための風向きに平行に複数の溝を設けた２枚のフィルター保持板５、６を２本の支柱などにより上下に連結したフィルター保持部１０を、長方形の開口部を設けた水槽の蓋３に固定し、吸水・蒸発性の素材からなる気化フィルター素片７を、フィルター保持部１０に挿入して、気化フィルター素片を水槽２に自立させて、風力により水槽２内の溶液１８を気化させる。気化量の増減は気化フィルター素片７枚数を増減することにより可能にする。また、水槽内の溶液１８が外部から見えるため、溶液の補充が容易になる。更に、水槽２と気化フィルター保持部１０を一体化させた構造にしたため、本発明の気化発生器１を組み込んだ液体気化装置を小型化することが可能になる。【選択図】  図１
2011169490.tif 000002
【特許請求の範囲】
【請求項１】
気化対象溶液を貯蔵する水槽と、気化フィルター素片を自立・保持させるための風向きに平行に複数の溝を設けた２枚のフィルター保持板を２本の支柱などを介して組み立てたフィルター保持部を、長方形の開口部を設けた水槽の蓋に固定し、吸水・蒸発性の素材からなる気化フィルター素片を、フィルター保持部の上下２箇所の溝に挿入し、気化フィルター素片の下部を気化対象の溶液が貯蔵されている水槽に自立させて、上部を通風路に露出させて風力により気化させる。気化量の増減は気化フィルター素片枚数を増減することにより可能にしたことを特徴とする気化発生器。
【請求項２】
気化フィルター素片を水槽蓋の中心位置より風下側に寄せて配置し、気化フィルター素片の風上側に広い空間を設けたこと特徴とする請求項１に記載の気化発生器。
【請求項３】
水槽の材質を水槽内の溶液が水槽の側面から見えるものにして、溶液の残量状況が外部から確認できるようにしたことを特徴とする請求項１に記載の気化発生器。
【請求項４】
水槽蓋の端に溶液を補充するための溶液補充口を設けることにより、溶液を補充する都度、水槽の蓋を開けないで行えるようにしたことを特徴とする請求項１に記載の気化発生器。
【請求項５】
水槽と水槽蓋及びフィルター保持部と気化フィルター素片の材質を耐薬品性の高いものにし、腐食性のある溶液の気化を可能にすることを特徴とする請求項１に記載の気化発生器。
【発明の詳細な説明】
【技術分野】
【０００１】
本発明は、吸水・蒸発性素材を使い、風力により液体を強制気化させるための気化発生器に関する。
【背景技術】
【０００２】
従来から、強制気化式の気化装置として、加湿器が使用されている。これらは吸湿性の高い不織布などの気化フィルターの下部を水の入った容器に自立させ、気化フィルターの上部に送風ファンによる吸気を通過させて液体を気化させることを応用している。一般的には、吸気の全量が気化フィルターを通過する構造になっているため、装置を設置する空間容積や温度・湿度などの環境に合せて加湿量を増減させるためには、ファンの回転数を変えて調節している。その結果、送風ファンの回転数が低くなると気化量が減るが同時に風量が小さくなり、気化した気体を拡散させる能力も低下する。拡散能力を高いままで気化量を下げるためには、タイマーによるファンモーターのオン・オフ運転など複雑な電子制御が必要になる。また、気化対象溶液を貯蔵する水槽が装置本体と一体化しており、結果として装置が大型化する。更に、気化フィルターの配置が装置内部の奥に配置されており、気化フィルターの清掃に手間が掛かる。
【０００３】
特許文献１の発明では、気化するための気化フィルターの気化面積が一定で、気化量の調節は送風機の風量を切り替えて行う。さらに、気化フィルターは装置内部の奥に配置されているため、フィルターが汚れた時の清掃に手間が掛かる。
また、特許文献２の発明では、必要な加湿量に応じて気化フィルターの構成体の枚数を増減調整することができるとあるが、運転開始後に行うとコスト増加を招く。更に腐食性のある溶液の気化には適していない。
また、特許文献３の本発明者が発明した自然気化式液体気化装置では、気化フィルターの枚数を変えて気化量を増減設定可能である。しかし、風力を使わずに気化させる自然気化方式のため、風力による強制気化に使用すると、気化フィルターが風圧で気化フィルターが変形し易く、更に、気化量を高めるためには気化フィルターの面積を大きくする必要があり、機器への組込みには適していない。
【先行技術文献】
【特許文献】
【０００４】
【特許文献１】特開平０７−２３６６８５
【特許文献２】特開２００３−７４９１６
【特許文献３】特願２００９−２６１７３７
【発明の概要】
【発明が解決しようとする課題】
【０００５】
気化量の変更を、複雑な電子制御による送風ファンの風量の増減に頼らずに、気化量を変更可能な小型の気化発生器が要望されている。
【０００６】
また、一般的に、脱臭・除菌溶液の気化ガスは空気より重く、装置から広範囲に拡散させるためには大きな風量が必要となることから、空気抵抗の小さい気化発生器が要望されている。
【０００７】
液体気化装置や既設の構造物への取り付け・取り外しが容易で、気化フィルターの点検・清掃が簡単な気化発生器が要望されている。
【０００８】
また、一般に気化フィルターを使用する液体気化装置の気化対象溶液は水道水などの清水に限られており、脱臭や除菌溶液などの腐食性のある液体を気化させるには装置の耐久性から困難でした。
【課題を解決するための手段】
【０００９】
（請求項１記載の発明の特徴）
請求項１に記載の発明は、液体気化装置に使われる気化発生器１に係わり、気化対象溶液を貯蔵する水槽２と、気化フィルター素片７を自立・保持させるための風向きに平行に複数の溝を設けた２枚のフィルター保持板５、６を２本の支柱９など介して組み立てたフィルター保持部１０を、長方形の開口部を設けた水槽の蓋３に固定し、吸水・蒸発性の素材からなる気化フィルター素片７を、フィルター保持部１０の上下２箇所の溝に挿入し、気化フィルター素片７の下部を気化対象の溶液１８が貯蔵されている水槽２に自立させて、上部を通風路に露出させて風力により気化させる。気化量の増減は気化フィルター素片７枚数を増減することにより可能にしたことを特徴とする。
【００１０】
請求項１に記載の発明によれば、気化フィルターが複数の気化フィルター素片７で構成されているため、任意枚数の気化フィルター素片７をフィルター保持部１０の溝に装着すれば、好みの気化量が設定可能になる。水槽２と複数の気化フィルター素片７を挿入したフィルター保持部１０を一体化させた構造にしたため、図６に示すように、本発明の気化発生器１を組み込むことにより液体気化装置例１３を小型化できる。
【００１１】
（請求項２記載の発明の特徴）
請求項２に記載の発明によれば、請求項１に記載の発明の構成要素を備えた上で、気化フィルター素片７の中心線１２を水槽蓋３の中心線１１より風下側に寄せて配置し、気化フィルター素片７の風上側に広い空間を設けたこと特徴とする。
【００１２】
請求項２に記載の発明によれば、図６に示すように、気化フィルターの風上側に広い空間を設けられるので、この部分に送風ファンを配置することで、吸気口１４から放出口１５までの通風路を短くすることができ、装置の小型化が可能になる。
【００１３】
（請求項３記載の発明の特徴）
請求項３に記載の発明によれば、請求項１に記載の発明の構成要素を備えた上で、水槽２の材質を水槽２内の溶液１８が水槽２の側面から見えるものにして、溶液１８の残量状況が外部から確認できるようにしたことを特徴とする。
【００１４】
請求項３に記載の発明によれば、水槽２材質が溶液１８の残量が外部から目視できるため、溶液１８の残量計を備えなくても溶液１８が空の状態での運転を防ぐことが可能になる。
【００１５】
（請求項４記載の発明の特徴）
請求項４に記載の発明によれば、請求項１に記載の発明の構成要素を備えた上で、水槽蓋３の端に溶液１８を補充するための溶液補充口４を設けることにより、溶液１８を補充する都度、水槽の蓋３を開けないで行えるようにしたことを特徴とする。
【００１６】
請求項４に記載の発明によれば、本発明の気化発生器１を液体気化装置１３に組み込んだ場合、図７に示すように、装置の扉１４を開けるだけで、気化発生器１を取り出さなくても溶液補充用ボトル１５を使えば水槽蓋３の溶液補充口４から溶液１８を水槽２へ補充できる。
【００１７】
（請求項５記載の発明の特徴）
請求項５に記載の発明によれば、請求項１に記載の発明の構成要素を備えた上で、水槽２と水槽蓋３及びフィルター保持部１０と気化フィルター素片７の材質を耐薬品性の高いものにし、腐食性のある溶液１８の気化を可能にすることを特徴とする。
【００１８】
請求項５に記載の発明によれば、腐食性のある溶液１８に耐えられる構造にしたことから、従来、ハンドスプレイを使って脱臭・除菌溶液を散布していたが、本発明品を組み込んだ液体気化装置１３を使うことで、人手を使わずに広い空間に脱臭・除菌溶液１８を微細な分子レベルで気化・拡散させることが可能になり、少ない液量で効果をあげることが可能になる。
【発明の効果】
【００１９】
本発明の気化発生器１にあっては、設置対象とする空間容積や居住者数などの環境条件に合わせ、気化フィルター素片数７を変えるだけで気化量の増減が可能なため多様なニーズに対応できる。
【００２０】
また、気化フィルター素片７が風向に対して平行に配置されて空気抵抗が小さいため、低風圧の送風ファンでも気化された気体を広範囲に拡散できる。
【００２１】
また、水槽２と複数の気化フィルター素片７を挿入したフィルター保持部１０を一体化させた構造にしたため、図７に示すように送風ファンを気化フィルター素片７に接近させた配置が可能になり、装置の小型化に役立つ。更に、水槽２へ溶液１８の補充は気化発生器１を装置に取り付けたままでも溶液補充用ボトル１５を使って可能である。
【００２２】
また、空気より重い気体を発生する溶液１８を気化させる場合、気化した気体を効果的に拡散させるために、卓上より高い壁面に設置することが多い。その場合、水槽の溶液１８の残量が目視できるので、溶液１８の補充の確認に役立つ。
【００２３】
また、水槽２とフィルター保持部１０と気化フィルター素片７の材質を耐食性の高いものにしているため、腐食性のある脱臭・除菌溶液１８の気化にも利用できる。
【００２４】
また、気化発生器１を単体でエアコンや送風機の近辺や図９のように送風ダクト内に設置すると、風力を発生させるための送風ファンが必要ないので経済的な運用が可能になる。
【図面の簡単な説明】
【００２５】
【図１】本発明に係わる気化発生器を模擬的に示す斜視図
【図２】本発明に係わる気化フィルター保持部を模擬的に示す斜視図
【図３】本発明に係わる気化フィルター素片を模擬的に示す斜視図
【図４】本発明に係わる気化発生器の気化フィルター素片の配置を模擬的に示す断面図
【図５】本発明に係わる気化発生器のフィルター素片の増減状態を模擬的に示す側面図
【図６】本発明に係わる気化発生器を取り付けた液体気化装置例の断面図
【図７】本発明に係わる気化発生器を液体気化装置例に取り付けた場合の溶液の補充方法を示す断面図
【図８】本発明に係わる気化発生器を送風ダクトに設置した場合の断面図
【発明を実施するための形態】
【００２６】
以下、図面に基づき、本発明に係わる気化発生器１の実施形態を説明する。
図１は、本発明に係わる気化発生器１を模擬的に示す斜視図であり、気化対象溶液１８を貯蔵する水槽２と、気化フィルター素片７を自立・保持させるための風向きに平行に複数の溝を設けた２枚のフィルター保持板５、６と２本の支柱９を介して組み立てたフィルター保持部１０を、長方形の開口部を設けた水槽の蓋３に固定し、吸水・蒸発性の素材からなる任意枚数の気化フィルター素片７を、フィルター保持部１０の上下２箇所の溝に挿入し、気化フィルター素片７の下部を溶液１８が貯蔵されている水槽２に自立させ、上部を通風路に露出させて風力により気化させる。気化量の増減は気化フィルター素片７を増減することにより可能になる。また、蓋３には溶液補充口穴４が開けられている。
【００２７】
図２は、本発明に係わるフィルター保持部１０を模擬的に示す斜視図であり、フィルター下保持板５とフィルター上保持板６と２本の支柱９により組み立てられたフィルター保持部１０は長方形の開口部を備えた水槽蓋３に固定される。
【００２８】
図３は、本発明に係わる気化フィルター素片７を模擬的に示す斜視図で、下側の吸水部分と上側の気化部分の幅を同寸法にして、加工コストの低減化を図っている。さらに、これにより気化フィルターの上部の気化部分が通気により汚れた場合、上下を変えれば再利用が可能となる。
【００２９】
図４は、本発明に係わる気化発生器１の断面図で、気化フィルター素片７の中心線１２を蓋の中心線１１より風下側にずらして、風上側にファンの設置空間を設けている。気化フィルター素片は溶液１８が入っている水槽２の底まで挿入する。
【００３０】
図５は、本発明に係わる気化発生器１の気化フィルター素片７数の増減状態を示す断面図であり、装置へ組込後でも気化発生器１を装置から引き出せば、気化フィルター素片７を増減させて気化量を増減できる。
【００３１】
図６は、本発明に係わる気化発生器１を取り付けた液体気化装置例１３の断面図であり、気化発生器１の近傍に送風ファンを配置することが可能で、吸気口１４と放出口１５間の通風路が短くなり装置の小型化が可能になる。
また、送風ファンの風量を気化発生器１と気化発生器１の上部空間の両方を通過するようにすれば、風圧の低下が抑えられ、気化された気体を広範囲に拡散できる。
【００３２】
図７は、本発明に係わる気化発生器１を取り付けた液体気化装置例１３へ溶液１８を補充する方法を示した断面図であり、液体気化装置１３の扉１６を開けるだけで溶液補充用ボトル１７を使って気化発生器１の水槽２へ溶液１８を補充することが可能である。
【００３３】
図８は、本発明に係わる気化発生器１を送風ダクトに取り付けた場合の断面図であり、フィルター上保持板６の大きさの穴をダクトに開けることで設置が可能になる。この場合、ダクト内の風力を活用できるので、単独の送風ファンが必要ないため低コストでの運用が可能になる。
【符号の説明】
【００３４】
１  気化発生器
２  水槽
３  水槽の蓋
４  溶液補充口
５  フィルター下保持板
６  フィルター上保持板
７  気化フィルター素片
８  風向
９  支柱
１０  フィルター保持部
１１  水槽蓋の中心線
１２  気化フィルター素片の中心線
１３  気化発生器を組み込んだ液体気化装置例
１４  液体気化装置例の吸気口
１５  液体気化装置例の放出口
１６  液体気化装置例の扉
１７  溶液補充用ボトル
１８  溶液
【図１】
2011169490.tif 000003
【図２】
2011169490.tif 000004
【図３】
2011169490.tif 000005
【図４】
2011169490.tif 000006
【図５】
2011169490.tif 000007
【図６】
2011169490.tif 000008
【図７】
2011169490.tif 000009
【図８】
2011169490.tif 000010